(57)【要約】【課題】移動しながら放送を途切れず受信するために、利用者が移動中に選局操作を行なう必要のない車載マルチメディア装置を得る。【解決手段】第１の航行経路探索部１７ａは、各経由地の通過時刻を計算する。第１の番組編集部９ａは、第１の航行経路探索部１７ａから経由地と各経由地の通過時刻情報に関する情報を取得し、その取得した経由地に対応したエリアコードをエリアコード記憶部１６から読み出し、番組表を作成し、時間帯によって視聴不可な番組にマスク表示を施す。利用者が受信予約を行った後は、第１の予約部７ａが予約した通りに受信できるよう同調制御部５を制御することで、利用者による移動中の選局操作なしに、音声出力部１０１から音声が出力される。【選択図】図１
2015052559.tif 000002
【特許請求の範囲】
【請求項１】
出発する前に番組予約が行われ、車両の目的地への移動中に前記番組予約に基づいて予約が行われた放送番組を受信する車載マルチメディア装置であって、
出発地から出発する前に、前記車両の目的地及び出発時刻が入力される第１の入力部と、
前記車両が通行可能な地名が含まれかつ前記車両の通行可能な通過速度が規定された地図情報を記憶する地図情報記憶部と、
前記地図情報に基づいて前記出発地から前記目的地までの航行経路を探索すると共に、前記地図情報及び前記出発時刻に基づいて前記地名に対応する位置のうち前記車両が通過する航行経路上の経由地及び前記経由地の通過時刻を探索する第１の航行経路探索部と、
広域ネットワークから電子番組情報を無線で取得する番組内容情報取得部と、
前記経由地、前記通過時刻及び前記電子番組情報に基づいて、前記航行経路上で受信可能な放送番組を含む番組表を編集する第１の番組編集部と、
前記番組表を表示する表示部と、
前記表示部に表示された前記番組表に基づいて、番組予約情報が入力される第２の入力部と、
前記番組予約情報に基づいて、番組予約を行う第１の予約部と、
前記番組予約が行われた放送番組の放送電波を選局して受信する選局受信部と、
前記選局受信部で受信された放送番組を出力する出力部と、
を備えることを特徴とする車載マルチメディア装置。
【請求項２】
前記航行経路上で受信可能な放送番組は、前記番組表にハイライト表示されること
を特徴とする請求項１に記載の車載マルチメディア装置。
【請求項３】
請求項１又は２に記載の車載マルチメディア装置を備え、
前記表示部は、前記航行経路探索部が探索した航行経路を表示すること
を特徴とする車載情報装置。
【請求項４】
広域ネットワークに接続されたサーバと無線通信可能で、出発する前に番組予約が行われ、車両の目的地への移動中に前記番組予約に基づいて予約が行われた放送番組を受信する車載マルチメディア装置であって、
出発地から出発する前に、前記車両の目的地及び出発時刻が入力される第１の入力部と、
前記車両が通行可能な地名が含まれかつ前記車両の通行可能な通過速度が規定された地図情報を取得する地図情報記憶部と、
前記地図情報に基づいて前記出発地から前記目的地までの航行経路を探索すると共に、前記地図情報及び前記出発時刻に基づいて前記地名に対応する位置のうち前記車両が通過する航行経路上の経由地及び前記経由地の通過時刻を探索する第１の航行経路探索部と、
前記経由地及び前記通過時刻を前記サーバに無線で前記広域ネットワークを介して提供した後、前記サーバにおいて編集されかつ前記航行経路上で受信可能な放送番組を含んだ番組表を前記サーバから前記広域ネットワークを介して無線で取得する第１の通信部と、
前記番組表を表示する表示部と、
前記表示部に表示された前記番組表に基づいて、番組予約情報が入力される第２の入力部と、
前記サーバに無線で前記広域ネットワークを介して前記番組予約情報を提供した後、前記サーバで予約された番組予約を前記広域ネットワークを介して無線で取得する第２の通信部と、
前記番組予約が行われた放送番組の放送電波を選局して受信する選局受信部と、
前記選局受信部で受信された放送番組を出力する出力部と、
を備える車載マルチメディア装置。
【請求項５】
請求項４に記載の車載マルチメディア装置と無線通信可能な前記広域ネットワークに接続されたサーバであって、
前記広域ネットワークから電子番組情報を取得する番組内容情報取得部と、
前記第１の通信部から無線で前記広域ネットワークを介して前記経由地及び前記通過時刻を取得した後に、前記第１の通信部に前記広域ネットワークを介して無線で前記航行経路上で受信可能な放送番組を含んだ番組表を提供する第３の通信部と、
前記経由地、前記通過時刻及び前記電子番組情報に基づいて、前記航行経路上で受信可能な放送番組を含む番組表を編集する第２の番組編集部と、
前記第２の通信部から無線で前記広域ネットワークを介して前記番組予約情報を取得した後に、前記車載マルチメディア装置の番組予約情報を提供する第４の通信部と、
前記番組予約情報に基づいて、前記番組予約を行う第２の予約部と、
を備えるサーバ。
【請求項６】
広域ネットワークに基地局を介して接続された携帯情報端末と近距離無線通信が可能で、出発する前に番組予約が行われ、車両の目的地への移動中に前記番組予約に基づいて予約が行われた放送番組を受信する車載マルチメディア装置であって、
出発地から出発する前に、前記車両の目的地及び出発時刻が入力される第１の入力部と、
前記携帯情報端末に近距離無線で前記目的地及び前記出発時刻を提供した後、前記携帯情報端末において前記携帯情報端末が記憶する前記車両が通行可能な地名が含まれかつ前記車両の通行可能な通過速度が規定された地図情報と前記出発時刻とに基づいて前記出発地から前記目的地までの航行経路と前記地名に対応する位置のうち前記車両が通過する航行経路上の経由地及び前記経由地の通過時刻とが探索され、さらに前記携帯情報端末において広域ネットワークから前記基地局を介して取得された電子番組情報、前記経由地及び前記通過時刻に基づいて編集されかつ前記出発地から前記目的地までの航行経路上で受信可能な放送番組を含んだ番組表を前記携帯情報端末から近距離無線で取得する第５の通信部と、
前記番組表を表示する表示部と、
前記表示部に表示された前記番組表に基づいて、番組予約情報が入力される第２の入力部と、
前記携帯情報端末に近距離無線で前記番組予約情報を提供した後、前記携帯情報端末において前記番組予約情報に基づいて行われた番組予約を前記携帯情報端末から近距離無線で取得する第６の通信部と、
前記番組予約が行われた放送番組の放送電波を選局して受信する選局受信部と、
前記選局受信部で受信された放送番組を出力する出力部と、
を備える車載マルチメディア装置。
【請求項７】
請求項６に記載の車載マルチメディア装置と近距離無線通信可能な携帯情報端末で使用され、前記車載マルチメディア装置において、出発する前に番組予約が行われ、車両の目的地への移動中に前記番組予約に基づいて予約が行われた放送番組を受信するための携帯情報端末の番組予約方法であって、
第７の通信部が、出発地から出発する前に、前記車載マルチメディア装置で入力された前記車両の目的地及び出発時刻を前記車載マルチメディア装置から近距離無線で取得するステップと、
第２の航行経路探索部が、予め記憶された前記車両が通行可能な地名が含まれかつ前記車両の通行可能な通過速度が規定された地図情報に基づいて前記出発地から前記目的地までの航行経路を探索すると共に、前記地図情報及び前記出発時刻に基づいて前記地名に対応する位置のうち前記車両が通過する航行経路上の経由地及び前記経由地の通過時刻を探索するステップと、
番組内容情報取得部が、広域ネットワークから電子番組情報を前記基地局を介して無線で取得するステップと、
第３の番組編集部が、前記経由地、前記通過時刻及び前記電子番組情報に基づいて、前記航行経路上で受信可能な放送番組を含む番組表を編集するステップと、
前記第７の通信部が、前記番組表を前記車載マルチメディア装置に近距離無線で提供するステップと、
第８の通信部が、前記車載マルチメディア装置で表示された前記番組表に基づいて入力された番組予約情報を前記車載マルチメディア装置から近距離無線で取得するステップと、
第３の予約部が、前記番組予約情報に基づいて、前記車載マルチメディア装置の番組予約を行うステップと、
前記第８の通信部が、前記番組予約情報を前記車載マルチメディア装置に近距離無線で提供するステップと、
を備える携帯情報端末の番組予約方法。
【発明の詳細な説明】
【技術分野】
【０００１】
この発明は、車載用あるいは携帯用など移動時に使用するマルチメディア装置、ナビゲーション表示ができる車載情報装置、広域ネットワークに設けられるサーバ、ならびに携帯情報端末の番組予約方法に関するものである。
【背景技術】
【０００２】
従来の車載マルチメディア装置は、放送情報を記憶する情報蓄積手段と、情報蓄積手段に蓄積された放送情報から、情報ブラウズ装置の現在位置情報に基づいて放送情報を選択する情報判定・検索手段とを備えている。これにより、移動中のその時々における現在位置で最適な放送局を常に選択して放送を受信することができる。（例えば、特許文献１参照）。
【先行技術文献】
【特許文献】
【０００３】
【特許文献１】特開２００２−３４４４０３号公報
【発明の概要】
【発明が解決しようとする課題】
【０００４】
従来の車載マルチメディア装置では、移動しながら放送を途切れず受信するために、行く先々でその時点で視聴可能な番組リストが利用者に提示される。したがって、利用者は、行く先々で提示される番組リストから移動中に選局操作を行わなければならないという問題点があった。
【０００５】
この発明は、上述のような課題を解決するためになされたもので、移動しながら放送を途切れず受信するために、利用者が移動中に選局操作を行う必要のない利便性が向上した車載マルチメディア装置を得るものである。
【課題を解決するための手段】
【０００６】
この発明に係る車載マルチメディア装置は、出発する前に番組予約が行われ、車両の目的地への移動中に番組予約に基づいて予約が行われた放送番組を受信する車載マルチメディア装置であって、出発地から出発する前に、車両の目的地及び出発時刻が入力される第１の入力部と、車両が通行可能な地名が含まれかつ車両の通行可能な通過速度が規定された地図情報を記憶する地図情報記憶部と、地図情報に基づいて出発地から目的地までの航行経路を探索すると共に、地図情報及び出発時刻に基づいて地名に対応する位置のうち車両が通過する航行経路上の経由地及び経由地の通過時刻を探索する第１の航行経路探索部と、広域ネットワークから電子番組情報を無線で取得する番組内容情報取得部と、経由地、通過時刻及び電子番組情報に基づいて、航行経路上で受信可能な放送番組を含む番組表を編集する第１の番組編集部と、番組表を表示する表示部と、表示部に表示された番組表に基づいて、番組予約情報が入力される第２の入力部と、番組予約情報に基づいて、番組予約を行う第１の予約部と、番組予約が行われた放送番組の放送電波を選局して受信する選局受信部と、選局受信部で受信された放送番組を出力する出力部とを備えるものである。
【０００７】
また、この発明に係る別の車載マルチメディア装置は、広域ネットワークに接続されたサーバと無線通信可能で、出発する前に番組予約が行われ、車両の目的地への移動中に番組予約に基づいて予約が行われた放送番組を受信する車載マルチメディア装置であって、出発地から出発する前に、車両の目的地及び出発時刻が入力される第１の入力部と、車両が通行可能な地名が含まれかつ車両の通行可能な通過速度が規定された地図情報を取得する地図情報記憶部と、地図情報に基づいて出発地から目的地までの航行経路を探索すると共に、地図情報及び出発時刻に基づいて地名に対応する位置のうち車両が通過する航行経路上の経由地及び経由地の通過時刻を探索する第１の航行経路探索部と、経由地及び通過時刻をサーバに無線で広域ネットワークを介して提供した後、サーバにおいて編集されかつ航行経路上で受信可能な放送番組を含んだ番組表をサーバから広域ネットワークを介して無線で取得する第１の通信部と、番組表を表示する表示部と、表示部に表示された番組表に基づいて、番組予約情報が入力される第２の入力部と、サーバに無線で広域ネットワークを介して番組予約情報を提供した後、サーバで予約された番組予約を広域ネットワークを介して無線で取得する第２の通信部と、番組予約が行われた放送番組の放送電波を選局して受信する選局受信部と、選局受信部で受信された放送番組を出力する出力部とを備えるものである。
【０００８】
また、この発明に係るさらに別の車載マルチメディア装置は、広域ネットワークに基地局を介して接続された携帯情報端末と近距離無線通信が可能で、出発する前に番組予約が行われ、車両の目的地への移動中に番組予約に基づいて予約が行われた放送番組を受信する車載マルチメディア装置であって、出発地から出発する前に、車両の目的地及び出発時刻が入力される第１の入力部と、携帯情報端末に近距離無線で目的地及び出発時刻を提供した後、携帯情報端末において携帯情報端末が記憶する車両が通行可能な地名が含まれかつ車両の通行可能な通過速度が規定された地図情報と出発時刻とに基づいて出発地から目的地までの航行経路と地名に対応する位置のうち車両が通過する航行経路上の経由地及び経由地の通過時刻とが探索され、さらに携帯情報端末において広域ネットワークから基地局を介して取得された電子番組情報、経由地及び通過時刻に基づいて編集されかつ出発地から目的地までの航行経路上で受信可能な放送番組を含んだ番組表を携帯情報端末から近距離無線で取得する第５の通信部と、番組表を表示する表示部と、表示部に表示された番組表に基づいて、番組予約情報が入力される第２の入力部と、携帯情報端末に近距離無線で番組予約情報を提供した後、携帯情報端末において番組予約情報に基づいて行われた番組予約を携帯情報端末から近距離無線で取得する第６の通信部と、番組予約が行われた放送番組の放送電波を選局して受信する選局受信部と、選局受信部で受信された放送番組を出力する出力部とを備えるものである。
【発明の効果】
【０００９】
この発明は、利用者が移動中に操作を行わなくても、移動しながら途切れることなく放送を受信することが可能である。これにより、利便性が向上した車載マルチメディア装置を得ることができる。
【図面の簡単な説明】
【００１０】
【図１】この発明の実施の形態１に係る車載マルチメディア装置の構成を示すブロック図である。
【図２】この発明の実施の形態１に係る番組情報を取得する動作を示すフローチャートである。
【図３】この発明の実施の形態１に係る航行経路の一例を示す図である。
【図４】この発明の実施の形態１に係る経由地ごとの通過時刻とエリアコードのテーブルの一例を示す図である。
【図５】この発明の実施の形態１に係るエリアコードごとの番組特定情報のテーブルの一例を示す図である。
【図６】この発明の実施の形態１に係る番組表を編集する動作を示すフローチャートである。
【図７】この発明の実施の形態１に係る時間帯ごとの番組表の一例を示す図である。
【図８】この発明の実施の形態１に係る番組表をハイライト表示した一例を示す図である。
【図９】この発明の実施の形態１に係る番組を予約する動作を示すフローチャートである。
【図１０】この発明の実施の形態１に係る番組表と予約コードを対応させた一例を示した図である。
【図１１】この発明の実施の形態１に係る予約コードに対応した放送局、周波数及び放送時間のテーブルの一例を示す図である。
【図１２】この発明の実施の形態１に係る予約番組を受信する動作を示すフローチャートである。
【図１３】この発明の実施の形態２に係る車載マルチメディア装置の構成を示すブロック図である。
【図１４】この発明の実施の形態３に係る車載マルチメディア装置の構成を示すブロック図である。
【発明を実施するための形態】
【００１１】
実施の形態１．
図１は、この発明の実施の形態１に係る車載マルチメディア装置１００の構成を示すブロック図である。車載マルチメディア装置１００は、ラジオの電波を受信し受信波を出力するアンテナ１と、受信波の中から受信しようとするラジオ放送の周波数に同調することで受信しようとするラジオ放送を選局するチューナ部２と、選局されたラジオ放送の信号を音声復調するＤＳＰ（Ｄｅｇｉｔａｌ  Ｓｉｇｎａｌ  Ｐｒｏｃｅｓｓｉｎｇ）部３と、ＤＳＰ部３から出力される音声を外部へ出力するスピーカー４と、チューナ部２を制御する同調制御部５とを有する。ここで、ＤＳＰ部３とスピーカー４を併せて音声出力部１０１と呼び、チューナ部２と同調制御部５とを併せて選局受信部１０２と呼ぶ。車載マルチメディア装置１００は、現在時刻位置取得部６と、第１の予約部７ａと、番組予約記憶部８とをさらに備える。現在時刻位置取得部６としては、例えばＧＰＳ（Ｇｌｏｂａｌ  Ｐｏｓｉｔｉｏｎｉｎｇ  Ｓｙｓｔｅｍ）のような衛星を用いた広域測位システムを用いることができる。第１の予約部７ａは、現在時刻位置取得部６から現在時刻を、番組予約記憶部８から現在時刻に対応する放送番組の番組予約を読み出し、利用者が予約した番組を選局するよう同調制御部５を制御する。チューナ部２は、同調制御部５に制御されて、利用者が予約した放送番組をアンテナ１で受信した受信波の中から選局する。
【００１２】
また、車載マルチメディア装置１００は、第１の番組編集部９ａと、タッチパネル付表示部１０とをさらに備える。タッチパネル付表示部１０は、第１の入力部、第２の入力部及び表示部として動作し、タッチパネルまたはリモコン等によるタッチパネル同等の入力機能を持つ機器を使って利用者が車両で向かおうとしている目的地及び出発時刻を入力することができる。また、タッチパネル付表示部１０は、車両の航行経路上で受信可能なラジオの放送番組を含む番組表を画面に表示することができる。さらに、タッチパネル付表示部１０は、表示された番組表を見ながら、利用者が受信したい放送番組の番組予約情報を入力することができる。第１の番組編集部９ａは、タッチパネル付表示部１０に利用者が入力することで取得された番組予約情報は、第１の予約部７ａによって、番組予約として番組予約記憶部８に記憶される。
【００１３】
車載マルチメディア装置１００はさらに、番組内容情報記憶部１３と、番組内容情報取得部１４と、番組特定情報記憶部１５と、エリアコード記憶部１６と、第１の航行経路探索部１７ａと、目的地記憶部１８と、地図情報記憶部２０とを備える。第１の航行経路探索部１７ａは、目的地に関する情報を目的地記憶部１８から取得し、地図情報を地図情報記憶部２０から取得し、出発地から目的地までの航行経路を探索する。地図情報には、車両が通行可能な地名が含まれかつ車両の通行可能な通過速度が規定された道路の情報が含まれる。さらに航行経路探索部１７ａは、地図情報及び出発時刻に基づいて航行経路上の経由地及び経由地の通過時刻を探索する。番組内容情報取得部１４は、電子番組情報を検索するために、Ｗｉ  Ｆｉ（登録商標）などの無線通信により広域ネットワーク１１と接続されており、検索した結果を第１の番組編集部９ａ及び番組内容情報記憶部１３に送る。第１の番組編集部９ａは、番組内容情報記憶部１３、番組内容情報取得部１４、番組特定情報記憶部１５、エリアコード記憶部１６及び第１の航行経路探索部１７ａから取得した情報を元に、航行経路上で受信可能な放送番組を含む番組表を編集し、タッチパネル付表示部１０へ編集した番組表を表示させる。
【００１４】
次に、本実施の形態に係る動作について、図１に加えて、図２のフローチャートを用いて図３に示す航行経路を例に説明する。まず、利用者が出発地から出発する前にタッチパネル付表示部１０を用いて予め入力した目的地及び出発地に関する情報は、目的地記憶部１８に保存されている。なお、以上では、利用者がタッチパネル付表示部１０を用いて出発時刻を入力する場合を説明しているが、タッチパネル付表示部１０で入力する代わりに、利用者が出発地で車両に乗り込んだ時刻を現在時刻位置取得部６が取得して、出発時刻としても良い。さらに、好ましくは、利用者が番組表を見て受信したい放送番組を予約するための作業に要する時間を考慮して、車両に乗り込んだ時刻に想定される時間を加算して出発時刻としても良い。次に、第１の航行経路探索部１７ａは、利用者が入力した出発時刻と、現在時刻位置取得部６から得られる現在位置の情報を出発地とし、さらに、目的地記憶部１８に保存されている目的地の情報と、地図情報記憶部２０が記憶する地図情報とを用いて、航行経路、経由地及び経由地の通過時刻を探索する。なお、以上では、車両が出発する前に出発地にいることを前提としているが、車両が出発する前に一旦出発地とは別の場所に置かれている場合が考えられる。その場合は、現在位置を出発地とするのではなく、タッチパネル付表示部１０を用いて出発地を入力するようにしても良い。
【００１５】
次に、図３には、大阪、尼崎及び神戸が経由地として示されている。経由地の通過時刻を探索する際、第１の航行経路探索部１７ａは、車両は法定速度以下の通過速度で走行するとして各経由地の通過時刻を探索する。通過時刻は、出発時刻に探索された航行経路上の各経路を通過する通過時間を加算することにより探索できる。
【００１６】
次に、第１の番組編集部９ａの動作について説明する。図２に示したフローチャートのＳ１では、第１の番組編集部９ａが、第１の航行経路探索部１７ａから各経由地の通過時刻を取得している。
【００１７】
エリアコード記憶部１６には、放送局からのラジオの電波を受信できる地域に応じたコード(以下エリアコードと呼ぶ)が予め記憶されている。第１の番組編集部９ａは、第１の航行経路探索部１７ａから経由地と各経由地の通過時刻情報に関する情報を取得し、その取得した経由地に対応したエリアコードをエリアコード記憶部１６から読み出す（図２のＳ２）。その読み出した結果を図４に示す。図４には、各経由地の通過時刻と、各経由地を含む地域のエリアコードが示されている。
【００１８】
番組特定情報記憶部１５には、各エリアコードに対応する地域で受信可能な放送局を特定するための番組特定情報を記憶している。第１の番組編集部９ａは、番組特定情報記憶部１５から番組特定情報を読み出す。図５に読み出した結果を示す。図５には、各エリアコードで受信可能な放送局が番組特定情報として示されている。番組特定情報のみ読み出すことで、データ保持量を減らすメリットがある。
【００１９】
番組内容情報取得部１４は、第１の番組編集部９ａからの命令を受けて、図５に示した番組特定情報全てを対象に出発から到着までの時間帯の電子番組情報を広域ネットワーク１１から取得し（Ｓ３）、番組内容情報記憶部１３へ保存する（Ｓ４）。
【００２０】
図６に、本実施の形態に係る番組表を編集する動作を示す。まずＳ５では、第１の番組編集部９ａが、番組内容情報記憶部１３から電子番組情報を読み出して番組表を作成する。第１の番組編集部９ａが作成した番組表の一例を図７に示す。Ｓ６では、第１の番組編集部９ａが、各経由地の通過時刻と、各経由地を含む地域のエリアコードから、番組表の時間帯において、番組特定情報の中に放送局が含まれているかを判断し（Ｓ６）、受信可能な放送番組がある時間帯は例えば、「ニュース１」というように番組の名称を表示する（Ｓ７）。また、受信可能な放送番組がない時間帯については、この時間帯をマスク表示（網目がかっている部分）する（Ｓ８）ことで、結果的に、航行経路上で受信可能な放送番組は、番組表にハイライト表示されることになる。番組表をハイライト表示（網目がかっていない部分）させた例を図８に示す。番組表を編集する処理が完了する（Ｓ９）まで繰り返す。処理が完了すると、第１の番組編集部９ａは、タッチパネル付表示部１０へ編集した番組表を表示させる。番組表をハイライト表示することで、利用者が番組を選択しやすくなるという効果がある。
【００２１】
図９に、本実施の形態に係る番組を予約する動作を示す。図１０には、本実施の形態に係る番組表と予約コードを対応させた一例を示した図である。図１１には、本実施の形態に係る予約コードに対応した放送局、周波数及び放送時間のテーブルの一例を示す図である。図１０及び図１１に示すように、各時間帯の番組情報に予約コードを割り当てる。利用者による番組予約情報は、利用者がタッチパネル付表示部１０に入力することで行われ、第１の番組編集部９ａに保存される（Ｓ１０）。すなわち、タッチパネル付表示部１０は第２の入力部として動作する。第１の予約部７ａは、第１の番組編集部９ａから番組予約情報を読み出し、番組予約として番組予約記憶部８へ予約コードの形式で保存する（Ｓ１１）。
【００２２】
図１２に、本実施の形態に係る予約番組を受信する動作を示す。第１の予約部７ａは、現在時刻位置取得部６から現在時刻（Ｓ１２）及び現在位置（Ｓ１３）を取得する。ここでの現在時刻及び現在位置とは、車両が出発地から目的地への移動中の時刻及び位置をそれぞれ意味する。次に、第１の予約部７ａは、Ｓ１２及びＳ１３で取得した時刻及び位置に対応した番組予約を、番組予約記憶部８から取得する（Ｓ１４）。第１の予約部７ａは、Ｓ１２で取得した現在時刻が予約時刻と一致するか判定を行い、（Ｓ１５）、一致した場合はＳ１６へ進み、一致しなかった場合は、この動作は終了する。Ｓ１６では、第１の予約部７ａにより、選局受信部１０２が番組予約された放送番組の放送局の周波数と同調しているか判定している。同調していない場合は、第１の予約部７ａが選局受信部１０２内の同調制御部５に番組予約された放送番組を放送している放送局の周波数の値を送る（Ｓ１７）。同調している場合はそのまま動作を終了する。これにより、利用者が移動中に操作を行わなくても、移動しながら途切れることなく放送を受信することが可能である。
【００２３】
本実施の形態では、タッチパネル付表示部１０に、第１の入力部、第２の入力部及び表示部が包含されるとして説明した。しかしながら、第１の入力部、第２の入力部及び表示部はそれぞれ別の表示部で構成されていても良い。
【００２４】
本実施の形態は、出発地において現在位置を取得し、現在位置を出発地とする例をあげて説明したが、出発地の設定は出発する前であれば、出発地以外で出発地の設定を行うことはタッチパネル付表示部１０を用いて手動で入力することにより可能である。
【００２５】
実施の形態２．
図１３に、本実施の形態２に係る車載マルチメディア装置の構成を示す。実施の形態１と異なる点は、構成全体が車載マルチメディア装置２００とサーバ３００に分かれており、広域ネットワーク１１を介して通信を行っていることである。なお、実施の形態１において広域ネットワークから電子番組情報を取得する番組内容情報取得部１４の機能は、実施の形態２に係る車載マルチメディア装置では車載装置通信部１２がサーバ通信部２１ａとの通信と併せて行うものとする。実施の形態１と同じ又は相当する部分には、同一符号を付している。以下に、異なる部分についてのみ説明する。
【００２６】
車載マルチメディア装置２００が有するサーバ通信部２１ａは、広域ネットワーク１１と、Ｗｉ  Ｆｉなどの無線通信で接続されている。サーバ３００が有し、車載マルチメディア装置２００と広域ネットワーク１１を介して無線で通信するする車載装置通信部１２は、広域ネットワーク１１と、光回線などの高速大容量回線で接続されている。一方、車載マルチメディア装置２００については、同調制御部５、タッチパネル付表示部１０及び第１の航行経路探索部１７ａが無線で広域ネットワーク１１を介してサーバ３００と通信するサーバ通信部２１ａに接続されている。また、第２の予約部７ｂ及び第２の番組制御部９ｂは、車載装置通信部１２と接続されている。
【００２７】
ここで、サーバ通信部２１ａは、第１の通信部及び第２の通信部を兼ねている。また、車載装置通信部１２は、広域ネットワークから電子番組情報を取得するという実施の形態１で説明した番組内容情報取得部１４としての動作を行う他に、第３の通信部及び第４の通信部を兼ねている。第１の通信部として動作するサーバ通信部２１ａは、経由地及び通過時刻をサーバ３００に広域ネットワーク１１を介して無線で提供した後、サーバ３００において編集されかつ航行経路上で受信可能な放送番組を含んだ番組表を広域ネットワーク１１を介して無線で取得する。さらに、第２の通信部として動作するサーバ通信部２１ａは、サーバ３００に無線で広域ネットワーク１１を介して番組予約情報を提供した後、サーバ３００で予約された番組予約を広域ネットワーク１１を介して無線で取得する。第３の通信部として動作する車載装置通信部１２は、第１の通信部として動作するサーバ通信部２１ａから無線で広域ネットワーク１１を介して経由地及び通過時刻を取得した後に、第１の通信部として動作するサーバ通信部２１ａに広域ネットワーク１１を介して無線で航行経路上で受信可能な放送番組を含んだ番組表を提供する。第４の通信部として動作する車載装置通信部１２は、第２の通信部として動作するサーバ通信部２１ａから無線で広域ネットワーク１１を介して番組予約情報を取得した後に、車載マルチメディア装置２００の番組予約情報を提供する。
【００２８】
本実施の形態の動作については、実施の形態１と同様に図２、図６、図９及び図１２に示したフローチャートに従って動作する。
【００２９】
本実施の形態によると、実施の形態１よりも構成する部分が少ないことから、装置の軽量化、小型化が可能となる。また、本実施の形態によると、番組予約記憶部８、番組情報記憶部１３、番組特定情報記憶部１５、エリアコード記憶部１６が車載マルチメディア装置２００の外にあることから、車載マルチメディア装置２００の記憶容量に拘束されない。
【００３０】
本実施の形態では、第１の航行経路探索部１７ａ及び目的地記憶部１８が車載マルチメディア装置２００に含まれる構成を例に説明したが、これらはサーバ３００にあっても良い。また、本実施の形態では、サーバ通信部２１ａは、第１の通信部及び第２の通信部を兼ねており、車載装置通信部１２は、第３の通信部及び第４の通信部を兼ねているという構成で説明したが、第１の通信部、第２の通信部、第３の通信部及び第４の通信部は、それぞれ別の通信部で構成しても良い。
【００３１】
実施の形態３．
図１４に、本実施の形態３に係る車載マルチメディア装置の構成を示す。実施の形態１と異なる点は、構成全体が車載マルチメディア装置４００と携帯情報端末５００とに分かれていることである。実施の形態１と同じ又は相当する部分には、同一符号を付している。以下に、異なる部分についてのみ説明する。
【００３２】
車載マルチメディア装置４００が有する携帯情報端末通信部２１ｂは、携帯情報端末５００と、Ｂｌｕｅｔｏｏｔｈ（登録商標）などの近距離無線通信で接続されている。携帯情報端末５００が有する車載装置通信部２１ｃは、車載マルチメディア装置４００と、Ｂｌｕｅｔｏｏｔｈなどの近距離無線通信で接続されている。同調制御部５及びタッチパネル付表示部１０は携帯情報端末通信部２１ｂに接続されている。また、第３の予約部７ｃ及び第３の番組制御部９ｃは、車載装置通信部２１ｃと接続されている。さらに、番組内容情報取得部１４は、基地局２１を介して携帯電話等の遠距離無線により広域ネットワーク１１と接続されている。
【００３３】
ここで、携帯情報端末通信部２１ｂは、第５の通信部及び第６の通信部を兼ねており、車載装置通信部２１ｃは、第７の通信部及び第８の通信部を兼ねている。第５の通信部として動作する携帯情報端末通信部２１ｂは、携帯情報端末５００に近距離無線で目的地を提供した後、携帯情報端末５００において編集されかつ出発地から目的地までの航行経路上で受信可能な放送番組を含んだ番組表を近距離無線で取得する。第６の通信部として動作する携帯情報端末通信部２１ｂは、携帯情報端末５００に近距離無線で番組予約情報を提供した後、携帯情報端末５００で予約された番組予約を近距離無線で取得する。第７の通信部として動作する携帯情報端末通信部２１ｃは、出発地から出発する前に、車載マルチメディア装置で入力された車両の目的地及び出発時刻を車載マルチメディア装置から近距離無線で取得する。また、第７の通信部として動作する携帯情報端末通信部２１ｃは、番組表を車載マルチメディア装置に近距離無線で提供する。第８の通信部として動作する携帯情報端末通信部２１ｃは、車載マルチメディア装置で表示された番組表に基づいて入力された番組予約情報を車載マルチメディア装置から近距離無線で取得する。また、第８の通信部として動作する携帯情報端末通信部２１ｃは、番組予約情報を車載マルチメディア装置に近距離無線で提供する。
【００３４】
本実施の形態は、実施の形態１と同様に図２、図６、図９及び図１２に示したフローチャートに従って動作する。
【００３５】
本実施の形態によると、実施の形態１及び２よりも構成する部分が少ないことから、さらに装置の軽量化、小型化が可能となる。また、本実施の形態によると、目的地記憶部１８、番組予約記憶部８、番組情報記憶部１３、番組特定情報記憶部１５、エリアコード記憶部１６が車載マルチメディア装置４００の外にあることから、車載マルチメディア装置４００の記憶容量に拘束されない。
【００３６】
本実施の形態では、番組内容情報記憶部１３、番組内容情報取得部１４、番組特定情報記憶部１５、エリアコード記憶部１６、第２の航行経路探索部１７ｂ及び目的地記憶部１８が携帯情報端末５００に含まれる構成を例に説明したが、これらは広域ネットワーク１１に接続されたサーバ上にあっても良い。また、本実施の形態では、タッチパネル付表示部１０が車載マルチメディア装置４００に含まれる構成を例に説明したが、ディスプレイ表示部は、携帯情報端末５００にあっても良い。さらに、本実施の形態では、携帯情報端末通信部２１ｂは、第５の通信部及び第６の通信部を兼ねており、車載装置通信部２１ｃは、第７の通信部及び第８の通信部を兼ねているという構成で説明したが、第５の通信部、第６の通信部、第７の通信部及び第８の通信部は、それぞれ別の通信部で構成しても良い。
【００３７】
本実施の形態において、放送番組を出力するとは、ラジオの音声を出力する場合であるとしているが、出力する放送番組は音声に限らず、広域ネットワークから電子番組情報を取得できる放送番組であれば、例えば文字表示等の画面であっても良いのは言うまでもない。
【符号の説明】
【００３８】
７ａ  第１の予約部、７ｂ  第２の予約部、９ａ  第１の番組編集部、
９ｂ  第２の番組編集部、１０  タッチパネル付表示部、１２  車載装置通信部、
１４  番組内容情報取得部、１７ａ  第１の航行経路探索部、
１７ｂ  第２の航行経路探索部、２０  地図情報記憶部、
１００  車載マルチメディア装置、１０１  音声出力部、１０２  選局受信部、
２００  車載マルチメディア装置、３００  サーバ、４００  車載マルチメディア装置、５００  携帯情報端末
【図１】
2015052559.tif 000003
【図２】
2015052559.tif 000004
【図３】
2015052559.tif 000005
【図４】
2015052559.tif 000006
【図５】
2015052559.tif 000007
【図６】
2015052559.tif 000008
【図７】
2015052559.tif 000009
【図８】
2015052559.tif 000010
【図９】
2015052559.tif 000011
【図１０】
2015052559.tif 000012
【図１１】
2015052559.tif 000013
【図１２】
2015052559.tif 000014
【図１３】
2015052559.tif 000015
【図１４】
2015052559.tif 000016